(57)【要約】 【目的】  無線通信中の空き時間を利用して装置の検査を効率よく行えることを課題とする。【構成】  基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、制御チャネルの受信エラーを検出する検出手段と、前記検出手段が受信エラーを検出したことにより、対応するデータチャネルの受信処理時間を利用して当該データチャネル用受信処理部の検査を行う検査手段とを備える。【選択図】  図１
2007208353.tif 000002
【特許請求の範囲】
【請求項１】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、
制御チャネルの受信エラーを検出する検出手段と、
前記検出手段が受信エラーを検出したことにより、対応するデータチャネルの受信処理時間を利用して当該データチャネル用受信処理部の検査を行う検査手段とを備えることを特徴とする無線データ通信装置。
【請求項２】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、
受信制御チャネル中に含まれるデータサイズの情報を検出する検出手段と、
前記検出したデータサイズの情報がゼロであることにより、対応するデータチャネルの受信処理時間を利用して当該データチャネル用受信処理部の検査を行う検査手段とを備えることを特徴とする無線データ通信装置。
【請求項３】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、
制御チャネルの受信品質を検出する検出手段と、
前記検出した受信品質が所定閾値を下回ることにより、対応するデータチャネルの受信処理時間を利用してデータチャネル用受信処理部の検査を行う検査手段とを備えることを特徴とする無線データ通信装置。
【請求項４】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、
送信すべきデータ量に従って１又は２以上の制御チャネル及びデータチャネルの情報を生成する送信データ生成部と、
送信すべきデータが無いことにより、対応するデータチャネルの送信処理時間を利用してデータチャネル用送信処理部の検査を行う検査手段とを備えることを特徴とする無線データ通信装置。
【請求項５】
検査手段は、データチャネル用送／受信処理部を構成する複数のブロックに対して、各ブロック毎に特定の処理結果を期待できる検査用情報を入力すると共に、各ブロックの検査出力と対応する期待値とを比較して一致有無により故障有無を判定することを特徴とする請求項１乃至４の何れか一つに記載の無線データ通信装置。
【請求項６】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、
呼の接続に際して通信トラヒック量に応じた数の送／受信用個別チャネルの割り当てを行う呼制御手段と、
前記割り当てられたチャネル数に従い余った送／受信用個別チャネル処理部に対して個別チャネルの送／受信処理時間を利用して検査を行う検査手段とを備えることを特徴とする無線データ通信装置。
【請求項７】
予備の送／受信用個別チャネル処理部を備え、
呼制御手段は、未使用となる送／受信用個別チャネル処理部がローテーションするように個別チャネルを割り当て、
検査手段は、未使用となった個別チャネル用送／受信処理部の検査を個別チャネルの送／受信処理時間を利用して行うことを特徴とする請求項６記載の無線データ通信装置。
【請求項８】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムであって、
自局の個別チャネル受信空き時間を利用して行った検査により検出した当該個別チャネルの受信障害に係る情報を上り制御チャネルを介してリアルタイムに基地局装置に通知する移動局装置と、
移動局装置からの受信障害に係る情報に従って当該受信チャネルの使用を回避した数又は組み合わせの下り個別チャネルを割り当てる基地局装置とを備えることを特徴とする移動通信システム。
【請求項９】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムであって、
自局の個別チャネル受信空き時間を利用して行った検査により検出した当該個別チャネルの受信障害に係る情報を下り制御チャネルを介してリアルタイムに移動局装置に通知する基地局装置と、
基地局装置からの受信障害に係る情報に従って当該受信チャネルの使用を回避した数又は組み合わせの上り個別チャネルを割り当てる移動局装置とを備えることを特徴とする移動通信システム。
【請求項１０】
基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムであって、
自局の個別チャネル送信空き時間を利用して行った検査により検出した当該個別チャネルの送信障害に係る情報を上り制御チャネルを介してリアルタイムに基地局装置に通知する移動局装置と、
移動局装置からの送信障害に係る情報に従って当該送信チャネルの使用を回避した数又は組み合わせの上り個別チャネルを割り当てる基地局装置とを備えることを特徴とする移動通信システム。
【発明の詳細な説明】
【技術分野】
【０００１】
本発明は移動通信システム及びその装置に関し、更に詳しくは、基地局と移動局間でＣＤＭＡ方式により音声、画像、パケット等のデータ通信を行うと共に、スロット分割されたデータチャネルに時間多重された制御チャネル又は該データチャネルと並行して転送される制御チャネルに搭載された制御情報に従ってデータ信号の受信処理を行う移動通信システム及びその装置に関する。
【背景技術】
【０００２】
第３世代（ＣＤＭＡ）の移動体通信システムでは、通信の広帯域化により低速から高速に至る様々な伝送レート（マルチメディア）の通信サービスを効率よく提供可能である。例えば、上り／下リのリンクで異なる通信フォーマットの回線（変調方式，拡散率等）を使用することにより、上り／下りの通信速度を非対称にサポート可能であり、従って、インターネットアクセスに見られるような非対称通信（上り低速小容量、下り高速大容量）においても無線資源を有効に活用できる。
【０００３】
このように、第３世代の移動体通信システムでは、多種多様な通信サービスを提供可能であるため、自ずと装置（基地局，移動局）の機能や構成が高度、複雑化し、装置の一層の信頼性向上が望まれる。
【０００４】
この点、従来は、無線通信装置の不使用時間を利用して、送信機からアンテナに送信した試験用電波を受信アンテナを介して受信・復調し、得られた受信データのビットエラー率を測定することにより、装置の検査を行う故障検出機能付無線送受信装置が知られている（特許文献１）。 
【特許文献１】特開平０８−２７４７２７（段落「００１１」，図１）
【発明の開示】
【発明が解決しようとする課題】
【０００５】
しかし、上記従来の無線送受信装置では、通信装置の不使用時間にしか検査を行えない為、検査を行う時には無線通信を行えない不都合があった。
【０００６】
本発明は上記従来技術の問題点に鑑みなされたものであって、その目的とする所は、無線通信中の空き時間を利用して装置の検査を効率よく行える移動通信システム及びその装置を提供することにある。
【課題を解決するための手段】
【０００７】
上記の課題は例えば図１の構成により解決される。即ち、本発明（１）の無線データ通信装置は、基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムの無線データ通信装置であって、制御チャネルの受信エラーを検出する検出手段と、前記検出手段が受信エラーを検出したことにより、対応するデータチャネルの受信処理時間を利用して当該データチャネル用受信処理部の検査を行う検査手段とを備えるものである。
【０００８】
この種の無線データ通信装置（基地局又は移動局）では、通信中における回路故障やフェージング等の影響により制御チャネルの受信エラーを検出した場合には、当該制御チャ
ネルの情報に従って行うべきデータチャネルの受信処理を適正には行えない。そこで、本発明（１）では、このデータチャネルの受信処理が不要となる時間を有効に利用して当該データチャネル用受信処理部の検査を自動的に行う。従って、無線通信中の空き時間、空き回路を有効に利用して無線データ通信装置を効率よく検査できる。
【０００９】
本発明（２）の無線データ通信装置は、上記前提となる無線データ通信装置であって、受信制御チャネル中に含まれるデータサイズの情報を検出する検出手段と、前記検出したデータサイズの情報がゼロであることにより、対応するデータチャネルの受信処理時間を利用して当該データチャネル用受信処理部の検査を行う検査手段とを備えるものである。
【００１０】
この種の無線データ通信装置（基地局又は移動局）では、伝送データが無い場合（スロット）でも制御チャネルを連続して送信することで無線通信回線（パイロットによる同期制御、送信電力制御等）を適正に維持できるが、データを伝送しないスロットが生じるのは無線資源の有効利用とはならない。そこで、本発明（２）では、このデータチャネルの受信処理が不要となる時間を有効に利用して当該データチャネル用受信処理部の検査を行う。従って、無線通信中の空き時間、空き回路を有効に利用して無線データ通信装置を効率よく検査できる。
【００１１】
本発明（３）の無線データ通信装置は、上記前提となる無線データ通信装置であって、制御チャネルの受信品質を検出する検出手段と、前記検出した受信品質が所定閾値を下回ることにより、対応するデータチャネルの受信処理時間を利用してデータチャネル用受信処理部の検査を行う検査手段とを備えるものである。
【００１２】
この種の無線データ通信装置では、制御チャネルの受信品質が所要を下回る場合にはデータチャネルの受信も適正には行えない。そこで、本発明（３）では、このデータチャネルの受信空き時間を利用して当該データチャネル用受信処理部の検査を行う。従って、通信中のデータ通信装置を効率よく検査できる。
【００１３】
本発明（４）の無線データ通信装置は、上記前提となる無線データ通信装置であって、送信すべきデータ量に従って１又は２以上の制御チャネル及びデータチャネルの情報を生成する送信データ生成部と、送信すべきデータが無いことにより、対応するデータチャネルの送信処理時間を利用してデータチャネル用送信処理部の検査を行う検査手段とを備えるものである。従って、データチャネルの送信空き時間を有効に利用することで、当該データチャネル用送信処理部の検査を効率よく行える。
【００１４】
本発明（５）では、上記本発明（１）〜（４）において、検査手段は、データチャネル用送／受信処理部を構成する複数のブロックに対して、各ブロック毎に特定の処理結果を期待できる検査用情報を入力すると共に、各ブロックの検査出力と対応する期待値とを比較して一致有無により故障有無を判定する。
【００１５】
従って、全体としては複雑な機能、構成を有するようなデータチャネル用送／受信処理部であっても、これを機能、構成に応じたサイズの複数ブロックに分割して検査することにより、細部の故障有無を比較的簡単な手法により、短い時間で、効率よく切り分けられる。なお、上記データチャネル用送／受信処理部とは、データチャネル用送信処理部又はデータチャネル用受信処理部を意味する。
【００１６】
本発明（６）の無線データ通信装置は、上記前提となる無線データ通信装置であって、呼の接続に際して通信トラヒック量に応じた数の送／受信用個別チャネルの割り当てを行う呼制御手段と、前記割り当てられたチャネル数に従い余った送／受信用個別チャネル処理部に対して個別チャネルの送／受信処理時間を利用して検査を行う検査手段とを備える
ものである。従って、個別チャネルの送／受信空き時間を利用して余った送／受信用個別チャネル処理部の検査を効率よく行える。
【００１７】
本発明（７）では、上記本発明（６）において、予備の送／受信用個別チャネル処理部を更に備え、呼制御手段は、未使用となる送／受信用個別チャネル処理部がローテーションするように個別チャネルを割り当て、検査手段は、未使用となった個別チャネル用送／受信処理部の検査を個別チャネルの送／受信処理時間を利用して行うものである。
【００１８】
本発明（７）によれば、検査対象となる送／受信用個別チャネル処理部をローテーションさせることにより、装置の通信（稼働）を中断させること無く、全ての個別チャネルを順に効率よく検査できる。また、異常が検出された個別チャネル用送／受信処理部を活線挿抜することで、装置の運用を停止すること無く、メンテナンスできる。
【００１９】
本発明（８）の移動通信システムは、基地局と移動局間でＣＤＭＡ方式によりデータ通信を行うと共に、スロット分割されたデータチャネルに時間多重された制御チャネル又は該データチャネルと並行して転送される制御チャネルに搭載された制御情報に従ってデータ信号の受信処理を行う移動通信システムであって、自局の個別チャネル受信空き時間を利用して行った検査により検出した当該個別チャネルの受信障害に係る情報を上り制御チャネルを介してリアルタイムに基地局装置に通知する移動局装置と、移動局装置からの受信障害に係る情報に従って当該受信チャネルの使用を回避した数又は組み合わせの下り個別チャネルを割り当てる基地局装置とを備えるものである。従って、移動局装置の受信障害を自動的に容易に回避できる。
【００２０】
本発明（９）の移動通信システムは、上記前提となる移動通信システムであって、自局の個別チャネル受信空き時間を利用して行った検査により検出した当該個別チャネルの受信障害に係る情報を下り制御チャネルを介してリアルタイムに移動局装置に通知する基地局装置と、基地局装置からの受信障害に係る情報に従って当該受信チャネルの使用を回避した数又は組み合わせの上り個別チャネルを割り当てる移動局装置とを備えるものである。従って、基地局装置の受信障害を自動的に容易に回避できる。
【００２１】
本発明（１０）の移動通信システムは、上記前提となる移動通信システムであって、自局の個別チャネル送信空き時間を利用して行った検査により検出した当該個別チャネルの送信障害に係る情報を上り制御チャネルを介してリアルタイムに基地局装置に通知する移動局装置と、移動局装置からの送信障害に係る情報に従って当該送信チャネルの使用を回避した数又は組み合わせの上り個別チャネルを割り当てる基地局装置とを備えるものである。従って、移動局装置の送信障害を自動的に容易に回避できる。
【発明の効果】
【００２２】
以上述べた如く本発明によれば、無線通信中の空き時間を利用して装置の検査を効率よく行えるため、移動通信システム運用の信頼性向上に寄与するところが極めて大きい。
【発明を実施するための最良の形態】
【００２３】
以下、添付図面に従って本発明に好適なる実施の形態を詳細に説明する。なお、全図を通して同一符号は同一又は相当部分を示すものとする。図１は実施の形態による移動通信システムの構成を示す図で、本発明のＣＤＭＡ方式による移動通信システムへ適用例を示している。
【００２４】
図において、１００は基地局装置、１６は網側からの音声，画像，パケットに係る入力データをデータ処理の基本単位であるトランスポートブロック（ＣＲＣの演算単位）に分割してチャネル送信部１０に出力する送信データ生成部、１０は各チャネル対応のベース
バンド送信処理を行うチャネル送信部、１１ａ〜１１ｎは複数の個別チャネルＣＨ１〜ＣＨｎのベースバンド送信処理を行う個別チャネル送信処理部、１２は制御チャネルの送信処理を行う制御チャネル処理部、１３はデータチャネルの送信処理を行うデータチャネル処理部、１４は複数チャネルのベースバンド信号を多重（加算）するチャネル多重部、１５は各データチャネル処理部１３の空き時間を利用して当該データチャネル処理部１３の検査を行う送信チャネル検査部、１８は無線周波の送受信処理を行うと共に、受信品質（ＳＩＮＲ）の検出を行う無線処理部、１９はアンテナ、２０は各チャネル対応のベースバンド受信処理を行うチャネル受信部、２４はベースバンド信号を分離するチャネル分離部、２１ａ〜２１ｎは複数の個別チャネルＣＨ１〜ＣＨｎのベースバンド受信処理を行う個別チャネル送信処理部、２２は制御チャネルの受信処理を行う制御チャネル処理部、２３はデータチャネルの受信処理を行うデータチャネル処理部、２５は各データチャネル処理部２３の空き時間を利用して当該データチャネル処理部２３の検査を行う受信チャネル検査部、２６は基地局の呼制御を行う呼制御部である。
【００２５】
また、２００は移動局装置、３６は端末側で発生した音声，画像，パケットに係るデータをトランスポートブロックに分割してチャネル送信部３０に出力する送信データ生成部、３０は各チャネル対応のベースバンド送信処理を行うチャネル送信部、３１ａ〜３１ｍは複数の個別チャネルＣＨ１〜ＣＨｍのベースバンド送信処理を行う個別チャネル送信処理部、３２は制御チャネルの送信処理を行う制御チャネル処理部、３３はデータチャネルの送信処理を行うデータチャネル処理部、３４はチャネル多重部、３５は各データチャネル処理部３３の空き時間を利用して当該データチャネル処理部３３の検査を行う送信チャネル検査部、３８は無線周波の送受信処理を行うと共に、受信品質（ＳＩＮＲ）の検出を行う無線処理部、３９はアンテナ、４０は各チャネル対応のベースバンド受信処理を行うチャネル受信部、４４はチャネル分離部、４１ａ〜４１ｍは複数の個別チャネルＣＨ１〜ＣＨｍのベースバンド受信処理を行う個別チャネル受信処理部、４２は制御チャネル処理部、４３はデータチャネル処理部、４５は各データチャネル処理部４３の空き時間等を利用して当該データチャネル処理部４３の検査を行う受信チャネル検査部、４６は移動局の呼制御を行う呼制御部である。
【００２６】
一般に、基地局と１対１で接続をする移動局と、複数の移動局を収容する基地局とでは自ずと装置の構成が異なるが、本実施の形態では個別チャネルを使用した上り下りの情報のやり取りを中心に説明をする為、基地局と移動局の構成を対照的に示している。
【００２７】
図２は実施の形態によるチャネル送受信部を説明する図で、基地局１００のチャネル送受信部１０，２０におけるデータチャネル処理部１３，２３の一例を示している。なお、図示しないが、移動局２００についても同様である。チャネル送信部１０では物理チャネル上に複数のトランスポートチャネルを多重することにより、ユーザデータと制御情報との多重伝送や、複数のユーザデータの多重伝送が可能となっている。
【００２８】
チャネル送信部１０において、５１は網側からの送信データ（トランスポートブロック）を巡回符号化するＣＲＣ演算部（ＣＲＣＡ）、５２は送信データを誤り訂正符号に変換すると共に、各物理チャネルに固有の拡散コード（short code）により拡散（channelization）するチャネルエンコーダ（ＣＥＮＣ）、５３は送信データ（シンボル）の送信レートを調整（rate matching）するレート調整部（ＲＡＴＥ）、５４は送信データをインターリーブするインタリーバ（ＩＴＬＶ）である。
【００２９】
チャネル受信部２０において、６４は移動局２００からの受信ベースバンド信号をデインタリーブするデインタリーバ（ＤＩＬＶ）、６３は受信データの受信レートを調整するレート調整部（ＲＡＴＥ）、６２は受信ベースバンド信号を当該物理チャネルに固有の拡散コード（short code）により逆拡散すると共に、誤り訂正復号するチャネルデコーダ（
ＣＤＥＣ）、６１は復号データの誤り検査を行うＣＲＣ検査部（ＣＲＣＣ）である。
【００３０】
送信チャネル検査部１５は、通信中におけるデータチャネル送信処理部１３の空き時間を利用して当該データチャネル送信処理部１３の検査を行う。この検査は、好ましくはデータチャネル送信処理部１３を機能別に複数のブロックに分割して各機能に応じた障害検査パターンを入力すると共に、その出力の検査結果（回路の処理結果）を予め用意しておいた正しい処理結果のパターンと比較することで、一致有無により回路故障の有無を判別する。この様な検査は、選択した空き個別チャネルの各機能ブロック毎にシーケンシャルに行っても良いし、又は各各ブロックについて一斉（パラレル）に行っても良い。いずれにしても、１ブロック当たりの検査は比較的単純であるため、データチャネル送信処理部１３の全体が複雑であっても、細部の故障有無を短時間で容易に検査し、特定できる。受信チャネル検査部２５についても同様である。
【００３１】
図３に実施の形態による各種の無線フレームフォーマットの概要を示す。なお、この図は、本発明の適用範囲であるところの、スロット分割されたデータチャネルに時間多重された制御チャネル（図のＢ）又は該データチャネルと並行して転送される制御チャネル（図のＡ）に搭載された制御情報に従ってデータ信号の受信処理を行うことについて、より一般的な概念を説明するためのものであって、必ずしもＷ−ＣＤＭＡ方式に準拠した具体例を示すものでは無い。従って、基地局にも移動局にも適用可能である。
【００３２】
図３の（Ａ）は制御チャネルと並行して１又は２以上のデータチャネルを送信する場合を示している。この例のデータチャネル数は、基地局と移動局間で呼を接続する際の呼制御によって設定される。回線は制御チャネルのパイロットシンボルにより同期検波が維持され、電力制御フィールドの信号により電力制御が行われる。「データサイズ」は当該スロットのデータチャネルに搭載されるデータのサイズを表しており、サイズが「０」の場合は当該データチャネルは空き時間となる。データサイズが「０」でない場合でも、データチャネルの処理時間は「変調方式」や「符号化率」等によっても異なるため、これらをデータチャネルの空き時間を求める参考にもできる。なお、Ｗ−ＣＤＭＡ方式のように、１個別チャネル毎に制御チャネルとデータチャネルとがあっても良い。
【００３３】
図３の（Ｂ）はデータチャネルＤＣＨに時間多重された制御チャネルＣＣＨの制御情報に従ってデータ信号の受信処理を行う場合を示している。各チャネルの用法については図の（Ａ）で述べたものと同様でよい。
【００３４】
図４はＷ−ＣＤＭＡシステムにおける個別物理チャネルＤＰＣＨのフレーム構成を示す図で、本発明のより具体的な一適用例を示している。図の（Ａ）は移動局から基地局への上りリンク、図の（Ｂ）は基地局から移動局への下りリンクのフレームフォーマットをそれぞれ示している。物理チャネルの無線フレーム（１０ｍｓ）は１５のタイムスロットに分割されている。個別物理チャネル（ＤＰＣＨ：Dedicated Physical Channel）は、ユーザ情報を伝送するデータチャネルＤＰＤＣＨと、制御情報を伝送する制御チャネルとから構成されている。上りリンクでは、制御チャネルＤＰＣＣＨのデータ伝送レートは一定（１５ｋｂｐｓ）であり、固定の拡散率（ＳＦ＝２５６）で拡散される。一方、データチャネルＤＰＤＣＨは情報量によってデータ伝送レートや拡散率が変化する。１スロットあたりの情報ビット数を１０×２ｋ（ｋ＝０〜６）とすると、情報ビット数に対して拡散率は２５６／２ｋを対応させている。従って、データ伝送レートは１５ｋｂｐｓ〜９６０ｋｂｐｓとなり、これに対応する拡散率は２５６〜４となる。
【００３５】
このように、上りリンクの制御チャネルとデータチャネルは異なる伝送レート（即ち、独立）で伝送されるため、ＤＰＤＣＨとＤＰＣＣＨとはそれぞれＢＰＳＫにより変調され、Ｉ，Ｑ軸に多重される。従って、ＤＰＤＣＨに伝送情報が無い場合でも、ＤＰＣＣＨの
制御情報を連続して送信することにより、送信が途切れない。本実施の形態ではこの空き時間を利用してデータチャネルＤＰＣＣＨの検査を行う。これ対して、下りリンクでは、制御チャネルとデータチャネルの情報が時分割多重されており、これがＱＰＳＫ変調されて、送信される。
【００３６】
更に、チャネルでやり取りされる信号の内容を概説すると、パイロットビット「Pilot」は、受信部の同期検波を維持し、かつ受信信号の振幅変動をチェックするために使用される。本実施の形態では、ＤＰＣＣＨの受信品質（ＳＩＮＲ）を検出して、所定以下であることにより、正常な受信はできないと判定し、その空き時間を利用してデータチャネルＤＣＤＣＨの検査を行う。ＴＦＣＩ（Transport Format Combination Indicator）は、受信フレームのＤＰＤＣＨに多重されているトランスポートチャネルの数、各トランスポートチャネルのフォーマット形式等を示す情報である。このような制御情報が適正に復号されない場合には、データチャネルＤＰＤＣＨについての正しい受信が行えない。そこで、本実施の形態では、制御チャネルＤＰＣＣＨの受信エラーを検出したことにより、データチャネル処理部の検査を行う。更に、制御信号（ＦＢＩ：Feedback Information）は、基地局の送信ダイバーシティのために移動局から基地局にフィードバック伝送する信号、そして、送信電力制御信号（ＴＰＣ：Transmit Power Control）は送信電力制御のための信号である。
【００３７】
以上の様な構成に基づき、以下に、複数の実施の形態による無線データ通信装置（基地局又は移動局）における装置内監視動作を概説する。まず、この種の基地局や移動局では、通信中における回路故障やフェージング等の影響により制御チャネルＤＰＣＣＨについての受信エラーを検出した場合には、当該制御チャネルの情報に従って行うべきデータチャネルＤＰＤＣＨの受信処理を適正には行えない。そこで、本実施の形態（１）では、このデータチャネルの受信処理が不要となる時間を有効に利用して当該データチャネル用受信処理部の検査を自動的に行う。従って、無線通信中の空き時間、空き回路を有効に利用して無線データ通信装置を効率よく検査できる。
【００３８】
また、この種の基地局や移動局では、送信すべき伝送データが無い場合（スロット）でも制御チャネルを連続して送信することで無線通信回線（パイロットによる同期制御、送信電力制御等）を適正に維持できるが、データを伝送しないスロットが生じるのは無線資源の有効利用とはならない。そこで、本実施の形態（２）では、このデータチャネルの受信処理が不要となる時間を有効に利用して当該データチャネル用受信処理部の検査を行う。従って、無線通信中の空き時間、空き回路を有効に利用して無線データ通信装置を効率よく検査できる。
【００３９】
また、この種の基地局や移動局では、制御チャネルＤＰＣＣＨの受信品質が所要を下回る場合には並行して受信されるデータチャネル又は引き続き受信されるデータチャネルの受信も適正には行えない。そこで、本実施の形態（３）では、このデータチャネルの受信空き時間を利用して当該データチャネル用受信処理部の検査を行う。従って、通信中のデータ通信装置を効率よく検査できる。
【００４０】
また、この種の基地局や移動局では、送信データ生成部１６／３６は送信すべきデータ量に従って１又は２以上の制御チャネル及びデータチャネルの情報を生成し、送信チャネル検査部１５／３５は送信すべきデータが無いことにより、対応するデータチャネルの送信処理時間を利用してデータチャネル用送信処理部１３／３３の検査を行う。従って、データチャネルの送信空き時間を有効に利用することで、当該データチャネル用送信処理部の検査を効率よく行える。
【００４１】
好ましくは、上記本実施の形態（１）〜（４）において、チャネル検査部１５／２５／
３５／４５は、データチャネル用送／受信処理部１３／２３／３３／４３を構成する複数の機能ブロックに対して、各ブロック毎に特定の処理結果を期待できる検査用情報を入力すると共に、各ブロックの検査出力と対応する期待値とを比較して一致有無により故障有無を判定する。従って、全体としては複雑な機能、構成を有するようなデータチャネル用送／受信処理部であっても、これを機能、構成に応じたサイズの複数ブロックに分割して検査することにより、細部の故障有無を比較的簡単な手法により、短い時間で、効率よく切り分けられる。
【００４２】
また、本実施の形態（６）の基地局や移動局では、呼制御部２６／４６は呼の接続に際して通信トラヒック量に応じた数の送／受信用個別チャネルの割り当てを行い、送／受信チャネル検査部は、前記割り当てられたチャネル数に従い余った送／受信用個別チャネル処理部に対して個別チャネルの送／受信処理時間を利用して検査を行う。従って、個別チャネルの送／受信空き時間を利用して余った送／受信用個別チャネル処理部の検査を効率よく行える。
【００４３】
好ましくは、本実施の形態（７）では、予備の送／受信用個別チャネル処理部を備え、呼制御部２６／４６は、未使用となる送／受信用個別チャネル処理部がローテーションするように個別チャネルを割り当て、チャネル検査部は、未使用となった個別チャネル用送／受信処理部の検査を個別チャネルの送／受信処理時間を利用して行う。従って、検査対象となる送／受信用個別チャネル処理部をローテーションさせることにより、装置の通信（稼働）を中断させること無く、全ての個別チャネルを効率よく検査できる。また、異常が検出された個別チャネル用送／受信処理部を活線挿抜することで、装置の運用を停止すること無く、メンテナンスできる。
【００４４】
また、本実施の形態（８）の移動通信システムでは、移動局装置２００は自局の個別チャネル受信空き時間を利用して行った検査により検出した当該個別チャネルの受信障害に係る情報を上り制御チャネルを介してリアルタイムに基地局装置１００に通知し、基地局装置１００は移動局装置からの受信障害に係る情報に従って当該受信チャネルの使用を回避した数又は組み合わせの下り個別チャネルを割り当てる。従って、移動局装置の受信障害を自動的に容易に回避できる。
【００４５】
また、本実施の形態（９）の移動通信システムでは、基地局装置１００は自局の個別チャネル受信空き時間を利用して行った検査により検出した当該個別チャネルの受信障害に係る情報を下り制御チャネルを介してリアルタイムに移動局装置に通知し、移動局装置２００は基地局装置からの受信障害に係る情報に従って当該受信チャネルの使用を回避した数又は組み合わせの上り個別チャネルを割り当てる。従って、基地局装置の受信障害を自動的に容易に回避できる。
【００４６】
また、本実施の形態（１０）の移動通信システムでは、移動局装置２００は上自局の個別チャネル送信空き時間を利用して行った検査により検出した当該個別チャネルの送信障害に係る情報を上り制御チャネルを介してリアルタイムに基地局装置に通知し、基地局装置１００は移動局装置からの送信障害に係る情報に従って当該送信チャネルの使用を回避した数又は組み合わせの上り個別チャネルを割り当てる。従って、移動局装置の送信障害を自動的に容易に回避できる。
【００４７】
更に、好ましくは、呼制御部２６／４６は、使用可能な個別チャネル用送／受信処理部の範囲内で個別チャネルを割り当てることも可能である。
【００４８】
また、本実施の形態による基地局や移動局では、通信の停止（アイドル）状態でも定期的に検査を実施しておき、発呼／着呼の通信開始時に故障検出結果を相手局に通知し、相
手局は故障情報に基づいて変調方式や符号化率等を決定し、これにより、発呼／着呼開始時点より、故障チャネルの使用を回避したデータ長（変調方式，符号化率等）を選択し、正常通信を可能とできる。
【００４９】
また、上記本発明に好適なる複数の実施の形態を述べたが、本発明思想を逸脱しない範囲内で各部の構成、制御、処理及びこれらの組合せの様々な変更が行えることは言うまでも無い。
【図面の簡単な説明】
【００５０】
【図１】実施の形態による移動通信システムの構成を示す図である。
【図２】実施の形態によるチャネル送受信部を説明する図である。
【図３】実施の形態による各種の無線フレームフォーマットを説明する図である。
【図４】Ｗ−ＣＤＭＡシステムにおけるＤＰＣＨのフレーム構成を示す図である。
【符号の説明】
【００５１】
１０，３０  チャネル送信部
１１ａ〜１１ｎ，３１ａ〜３１ｍ  個別チャネル送信処理部
１２，３２  制御チャネル処理部
１３，３３  データチャネル処理部
１４，３４  チャネル多重部
１５，３５  送信チャネル検査部
１６，３６  送信データ生成部
１８，３８  無線処理部
１９，３９  アンテナ
２０，４０  チャネル受信部
２４，４４  チャネル分離部
２１ａ〜２１ｎ，４１ａ〜４１ｍ  個別チャネル処理部
２２，４２  制御チャネル処理部
２３，４３  データチャネル処理部
２５，４５  受信チャネル検査部
２６，４６  呼制御部
１００  基地局装置
２００  移動局装置
【図１】
2007208353.tif 000003
【図２】
2007208353.tif 000004
【図３】
2007208353.tif 000005
【図４】
2007208353.tif 000006